(57)【要約】【課題】アングルセンサのロータ部をステータ部の回転中立位置に正しく保持する機能とコネクタピンの保護機能とを併せ持つアングルセンサのロック部材を提供する。【解決手段】アングルセンサのロック部材１０を、キャンセル突起８の係合部１１を有する本体部１２と、本体部１２の一側辺部に設けられたカバー部１３とから構成する。カバー部１３には、アングルセンサ１の係合凹部７と対応する部分に係合突部１５を形成する。また、本体部１２のカバー部１３寄りの部分には、指先を挿入するための透孔１４を開設する。【選択図】図１
2007265781.tif 000002
【特許請求の範囲】
【請求項１】
ステータ部と、当該ステータ部に対して回転可能に設けられたロータ部と、前記ステータ部に形成され、コネクタピンが設けられると共に該コネクタピンの配列方向にのみ対向する壁部が設けられたコネクタ導出部と、前記ロータ部に形成された突起とを備えたアングルセンサに着脱自在に装着され、前記ステータ部に対して前記ロータ部が回転中立位置に配置されている状態で前記アングルセンサに装着したとき、前記ステータ部に対する前記ロータ部の回転を阻止するアングルセンサのロック部材であって、
前記壁部の内壁面の間に嵌入可能に構成され、前記コネクタピンの周囲を覆うカバー部と、前記ロータ部に形成された突起を係合する係合部とを備えたことを特徴とするアングルセンサのロック部材。
【請求項２】
前記突起として、前記ロータ部に形成されたキャンセル突起を利用することを特徴とする請求項１に記載のアングルセンサのロック部材。
【請求項３】
前記カバー部の外面と前記壁部の内壁面との間に、前記コネクタ導出部に対する前記カバー部の可動方向をロック部材の脱着方向にのみ規制する係合手段を形成したことを特徴とする請求項１に記載のアングルセンサのロック部材。
【請求項４】
前記カバー部と前記係合部との間の前記カバー部と隣接する位置に、指先を挿入可能な透孔を開設したことを特徴とする請求項１に記載のアングルセンサのロック部材。
【発明の詳細な説明】
【技術分野】
【０００１】
本発明は、アングルセンサの組立完了時においてそのロータ部をステータ部に対して回転中立位置に保持するためのロック部材に関する。
【背景技術】
【０００２】
アングルセンサは、ステータ部と、当該ステータ部に対して回転可能に設けられたロータ部と、ステータ部に配列された１乃至複数個の検出素子と、ロータ部に設けられたコード板とから主に構成されており、コード板の回転に伴うコードの変化を検出素子で検出することにより、ロータ部の回転角度及び回転方向を検出するものである。この種のアングルセンサは、例えば自動車の舵角センサとして利用される。
【０００３】
自動車のステアリング軸は、回転中立位置（操舵角度が０°の位置）から右方向及び左方向に複数回ずつ回転するように構成されているので、アングルセンサを用いて自動車の操舵角度を厳密に検出するためには、ステアリング軸の回転中立位置とアングルセンサのステータ部に対するロータ部の回転中立位置とを厳密に対応させる必要がある。従来より、アングルセンサの組立完了後におけるロータ部のずれを防止し、ステアリング軸へのアングルセンサの取り付けを容易にする手段としては、ステータ部に対してロータ部を回転中立位置に配置したときに互いに重なり合う貫通孔をステータ部とロータ部とに開設し、当該貫通孔にピンを貫通してステータ部に対するロータ部の回転方向を回転中立位置に保持するものが知られている（例えば、特許文献１参照。）。前記ピンは、ステアリング軸へのアングルセンサの取り付けを完了した後に取り外される。
【０００４】
ところで、この種のアングルセンサにおいては、ステータ部のコネクタ導出部に備えられるコネクタピンの保護を図ることも重要である。即ち、コネクタ導出部は、外部接続コネクタを接続するためのものであり、ステータ部の外面から外向きに突出され、その内部に所要数のコネクタピンが外部に臨んで配列されているので、ステアリング軸へのアングルセンサの取り付け時などにおいて誤って人体や工具等がコネクタピンに触れやすく、コネクタピンが変形するなどの不都合を生じやすい。従来においては、コネクタ導出部にコネクタピン保護用のキャップをかぶせ、作業時におけるコネクタピンの変形を防止している。前記キャップも、ステアリング軸へのアングルセンサの取り付けを完了した後に取り外される。
【特許文献１】特開平８−２１３１３３号公報
【発明の開示】
【発明が解決しようとする課題】
【０００５】
しかしながら、上述のようにアングルセンサに回転中立位置を維持するためのピンとコネクタピン保護用のキャップとを適用すると、アングルセンサの組立が複雑化すると共に、ステアリング軸への取り付けが完了した後のアングルセンサからの不要部品の取り外しが複雑化する。
【０００６】
本発明は、かかる従来技術の不備を解決するためになされたものであり、その目的は、アングルセンサのロータ部をステータ部の回転中立位置に正しく保持する機能とコネクタピンの保護機能とを併せ持つアングルセンサのロック部材を提供することにある。
【課題を解決するための手段】
【０００７】
本発明は、上記の課題を解決するため、ステータ部と、当該ステータ部に対して回転可能に設けられたロータ部と、前記ステータ部に形成され、コネクタピンが設けられると共に該コネクタピンの配列方向においてのみ対向する壁部が設けられたコネクタ導出部と、前記ロータ部に形成された突起とを備えたアングルセンサに着脱自在に装着され、前記ステータ部に対して前記ロータ部が回転中立位置に配置されている状態で前記アングルセンサに装着したとき、前記ステータ部に対する前記ロータ部の回転を阻止するアングルセンサのロック部材を、前記壁部の内壁面の間に嵌入可能に構成され、前記コネクタピンの周囲を覆うカバー部と、前記ロータ部に形成された突起を係合する係合部とを備えるという構成にした。
【０００８】
このように、アングルセンサのロック部材にコネクタピンの周囲を覆うカバー部を一体に備えると、当該カバー部によってコネクタ導出部から外部に露出するコネクタピン、即ち、コネクタ導出部の壁面のない部分において露出するコネクタピンを保護できるので、アングルセンサ組立後の取扱時におけるコネクタピンの変形を防止できる。また、アングルセンサのロック部材とコネクタピンの保護カバーとを一部品で構成できるので、アングルセンサの実施に要する部品点数を削減できる。
【０００９】
また、本発明は、前記構成のアングルセンサのロック部材において、前記突起として、前記ロータ部に形成されたキャンセル突起を利用するという構成にした。
【００１０】
このように、アングルセンサのロック部材に係合される突起としてキャンセル突起を利用すると、ロータ部に回転中心位置規制用の突起を別途形成する必要がないので、ロータ部の構成の簡略化を図ることができる。
【００１１】
また、本発明は、前記構成のアングルセンサのロック部材において、前記カバー部の外面と前記壁部の内壁面との間に、前記コネクタ導出部に対する前記カバー部の可動方向をロック部材の脱着方向にのみ規制する係合手段を形成するという構成にした。
【００１２】
このように、カバー部の外面とコネクタ導出部の内面との間に所要の係合手段を形成すると、ロータ部の回転方向へのカバー部の変位を防止できるので、ロック部材により、ステータ部に対して回転中立位置に設定されたロータ部を安定に保持できる。
【００１３】
また、本発明は、前記構成のアングルセンサのロック部材において、前記カバー部と前記係合部との間の前記カバー部と隣接する位置に、指先を挿入可能な透孔を開設するという構成にした。
【００１４】
このように、カバー部と隣接する所要の位置に指先挿入用の透孔を開設すると、カバー部とロック部材の他の部分との段差が小さい場合にも、カバー部を指先で把持しやすくなるので、アングルセンサに対するロック部材の着脱を容易化することができる。
【発明の効果】
【００１５】
本発明に係るアングルセンサのロック部材は、アングルセンサの外部接続コネクタに備えられるコネクタピンの周囲を覆うカバー部を一体に備えたので、アングルセンサ組立後の取扱時におけるコネクタピンの変形を防止でき、不良品の発生を防止又は抑制することができる。また、アングルセンサのロック部材とコネクタピンの保護カバーとを一部品で構成するので、アングルセンサの実施に要する部品点数を削減でき、低コストにしてアングルセンサへの着脱を容易なものにすることができる。
【発明を実施するための最良の形態】
【００１６】
以下、本発明に係るアングルセンサのロック部材の実施形態を、図１乃至図４に基づいて説明する。図１はアングルセンサに対するロック部材の取付前の状態を示す斜視図、図２はアングルセンサに対するロック部材の取付後の状態を示す斜視図、図３は図２の矢印Ａの方向から見た要部断面図、図４はコネクタ導出部に対するカバー部の装着状態を示す要部平面図である。
【００１７】
図１乃至図３に示すように、本発明に係るロック部材１０が適用されるアングルセンサ１は、ステータ部２と、ステータ部２に対して回転可能に設けられたロータ部３とから構成されている。ステータ部２には、筒状のコネクタ導出部４が外向きに突設されており、当該コネクタ導出部４内には、回路基板５に実装された外部接続コネクタ６がコネクタピン６ａを外向きにして収納されている。コネクタ導出部４の先端部には、コネクタピン６ａの配列方向、即ち、コネクタ導出部４の長手方向においてのみ対向する２つの壁部４ｂが形成されている。壁部４ｂの内面には、図４に示すように、ロック部材１０の係合突部１５（後述）を係合するための係合凹部７が形成される。ロータ部３には、ステアリングコラムに備えられた方向指示器操作レバーをステアリングホイールの戻し操作に連動して非操作位置に戻すためのキャンセル突起８が一体に形成されている。ステータ部２に対するロータ部３の回転中立位置は、コネクタ導出部４の壁部４ｂの内壁面にロック部材１０のカバー部１３を嵌入させ、また、キャンセル突起８にロック部材１０の係合部１１（後述）を係合させたときに設定・維持されている。
【００１８】
本発明に係るアングルセンサのロック部材１０は、図１乃至図４に示すように、キャンセル突起８の係合部１１を有する本体部１２と、本体部１２の一側辺部に設けられたカバー部１３とから主に構成されており、プラスチックの射出成形品をもって一体に形成される。
【００１９】
本体部１２は、所要の平面形状を有する上面部１２ａと、当該上面部１２ａの外周部より垂下された側面部１２ｂとから構成されており、かかる構成にすることにより、ロック部材１０の軽量化と高強度化とを実現している。また、本体部１２のカバー部１３寄りの部分には、指先を挿入可能な透孔１４が開設されており、アングルセンサ１に対するロック部材１０の着脱を容易にしている。
【００２０】
カバー部１３は、所要の平面形状を有する上面部１３ａと、当該上面部１３ａの外周部より垂下された側面部１３ｂとから構成されており、図４に示すように、側面部１３ｂの横幅はコネクタ導出部４の横幅とほぼ等しく、側面部１３ｂはコネクタ導出部４に形成された２つの壁部４ｂの間に嵌入設定可能な寸法に形成される。側面部１３ｂの係合凹部７に対応する部分には、係合凹部７内にやや密着する程度に係合可能な係合突部１５が形成され、側面部１３ｂの透孔１４に対応する部分には、指先による把持を容易にするための把持突起１６が形成される。係合凹部７と係合突部１５とは、コネクタ導出部４に対するカバー部１３の可動方向をロック部材１０の脱着方向にのみ規制可能な形状に形成される。
【００２１】
本例のロック部材１０は、図２乃至図４に示すように、係合部１１内にキャンセル突起８が係合され、かつ係合凹部７内に係合突部１５が係合されるようにして、アングルセンサ１に取り付けられる。これにより、ステータ部２に対するロータ部３の回転をロックすることができ、アングルセンサ１のステータ部２とロータ部３とを回転中立位置で保持できる。また、背面側にケーブルリールが連結されるタイプのアングルセンサ１については、アングルセンサ１のステータ部２とケーブルリールのステータ部、及びアングルセンサ１のロータ部３とケーブルリールのロータ部とを相互に連結した後に、アングルセンサ１からロック部材１０が取り外される。また、単体で出荷されるアングルセンサ１については、アングルセンサ１にロック部材１０が装着された状態で出荷される。
【００２２】
本例のアングルセンサのロック部材１０は、アングルセンサ１の外部接続コネクタ６に備えられるコネクタピン６ａの周囲を覆うカバー部１３を一体に備えたので、アングルセンサ組立後の取扱時におけるコネクタピン６ａの変形を防止でき、不良品の発生を防止又は抑制することができる。また、ロータ部３の係合部１１とコネクタピン６ａのカバー部１３とを一部品で構成するので、アングルセンサ１の実施に要する部品点数を削減でき、低コストにしてアングルセンサ１への着脱を容易なものにすることができる。
【００２３】
また、本例のアングルセンサのロック部材１０は、係合部１１に係合されるロータ部３側の突起部としてキャンセル突起８を利用したので、ロータ部３に回転中心位置規制用の突起を別途形成する場合に比べて、ロータ部３の構成の簡略化を図ることができる。
【００２４】
また、本例のアングルセンサのロック部材１０は、カバー部１３の外面とコネクタ導出部４の２つの壁部４ｂの内壁面との間に、コネクタ導出部４に対するカバー部１３の可動方向をロック部材１０の脱着方向にのみ規制する係合突部１５と係合凹部７とを形成したので、ロータ部３の回転方向へのカバー部１３の変位を防止することができ、ロック部材１０により、ステータ部２に対して回転中立位置に設定されたロータ部３をその位置に安定に保持できる。
【００２５】
さらに、本例のアングルセンサのロック部材１０は、カバー部１３と隣接する所要の位置に指先挿入用の透孔１４を開設したので、カバー部１３と本体部１２との段差が小さい場合にも、カバー部１３を指先で把持しやすく、アングルセンサ１に対するロック部材１０の着脱を容易なものにすることができる。
【００２６】
加えて、前記実施形態においては、コネクタ導出部４のコネクタピンの配列方向においてのみ対向する２つの壁部を設ける構成とし、コネクタピンの配列方向と直交する方向に壁部のない構成にしたので、コネクタ導出部４を小型にでき、アングルセンサやロック部材１０の小型化を図ることもできる。
【００２７】
なお、前記実施形態においては、コネクタ導出部４の先端部に形成された壁部４ｂの内壁面に係合凹部７を形成し、ロック部材１０のカバー部１３にこれと係合される係合突部を形成したが、本発明の要旨はこれに限定されるものではなく、壁部４ｂの内壁面に係合突部を形成し、ロック部材１０のカバー部１３にこれを係合するための係合凹部を形成することもできる。
【００２８】
また、前記実施形態においては、ロック部材１０に指先を挿入するための透孔１４と把持突起１６とを形成したが、本発明の要旨はこれに限定されるものではなく、これらについては省略することもできる。
【図面の簡単な説明】
【００２９】
【図１】アングルセンサに対するロック部材の取付前の状態を示す斜視図である。
【図２】アングルセンサに対するロック部材の取付後の状態を示す斜視図である。
【図３】図２の矢印Ａの方向から見た要部断面図である。
【図４】コネクタ導出部に対するカバー部の装着状態を示す要部平面図である。
【符号の説明】
【００３０】
１    アングルセンサ
２    ステータ部
３    ロータ部
４    コネクタ導出部
６    外部接続コネクタ
６ａ    コネクタピン
７    係合凹部
８    キャンセル突起
１０    ロック部材
１１    キャンセル突起の係合部
１２    本体部
１３    カバー部
１４    指先挿入用の透孔
１５    係合突部
１６    把持突起
【図１】
2007265781.tif 000003
【図２】
2007265781.tif 000004
【図３】
2007265781.tif 000005
【図４】
2007265781.tif 000006